(57)【要約】【課題】一画面で多数の端末機器の状態情報を一目で把握する。【解決手段】表示操作部２に端末機器のアドレス番号ＡＤを表示した端末機器制御スイッチ３１がマトリクス状に配列されたアドレスマップウィンドウ３０を表示させる。さらに、端末データベースＤＢに記憶された状態に応じて各端末機器制御スイッチ３１が状態毎に異なる表示様態で表示される。【選択図】図４
2014016677.tif 000002
【特許請求の範囲】
【請求項１】
複数の端末機器が信号線を介して接続された火災受信機であって、
前記端末機器にそれぞれ割り当てられたアドレスと前記端末機器の状態とが関連づけて記憶された端末データベースを格納した記憶部と、
前記端末データベースに記憶された前記端末機器に関する情報を表示する表示部と、
前記端末機器の前記アドレスが表記された複数の端末機器制御シンボルをマトリクス状に配列して前記表示部に表示させるものであって、前記端末データベースに記憶された前記端末機器の状態に応じて前記端末機器制御シンボルを異なる表示態様で前記表示部に表示させる表示制御部と
を備えたことを特徴とする火災受信機。
【請求項２】
前記表示制御部には前記端末機器の状態の優先順位が予め設定されており、
前記表示制御部は、１つの前記端末機器に複数の状態が前記端末データベースに記憶されている場合、前記複数の状態のうち最も優先順位の高い状態に対応する態様で前記端末機器制御シンボルを前記表示部に表示させることを特徴とする請求項１記載の火災受信機。
【請求項３】
前記端末機器制御シンボルは、スイッチ機能を有する端末機器制御スイッチであり、
前記表示制御部は、前記複数の端末機器制御スイッチのうち１つの前記端末機器制御スイッチが選択されたときに、前記端末機器制御スイッチに付された前記アドレスに関連づけされた前記端末機器の種別および前記端末機器の状態を前記表示部に表示させることを特徴とする請求項１または請求項２記載の火災受信機。
【発明の詳細な説明】
【技術分野】
【０００１】
本発明は、複数の端末機器が接続された火災受信機に関するものである。
【背景技術】
【０００２】
従来、通信により端末機器の状態情報を収集する火災受信機において、端末機器の動作や故障の状態情報は液晶画面などに文字情報として表示されている。また、イベント情報が多い場合には、作業者により表示画面上のスイッチが操作され表示が切り替わることで、表示されていない端末機器の状態情報が表示されるようになっている（たとえば特許文献１参照）。
【先行技術文献】
【特許文献】
【０００３】
【特許文献１】特開平１１−２８３１４９号公報
【発明の概要】
【発明が解決しようとする課題】
【０００４】
しかし、建物の施工中や改装中などには、多数の端末機器が設置されていない場合があるため、結果的に端末機器が信号線に接続されていないことに対し多数の故障が発生していると判断してしまう場合がある。多数の端末機器が設置されていない状態では多数のエラーが出力されることになるため、端末機器の状態情報を確認することが困難であるという問題がある。
【０００５】
本発明は、上記のような課題を解決するためになされたもので、効率的に複数の端末機器の状態を確認することができる火災受信機を提供することを目的とするものである。
【課題を解決するための手段】
【０００６】
本発明に係る火災受信機は、複数の端末機器が信号線を介して接続された火災受信機であって、端末機器にそれぞれ割り当てられたアドレスと端末機器の状態とが関連づけて記憶された端末データベースを格納した記憶部と、端末データベースに記憶された端末機器に関する情報を表示する表示部と、端末機器のアドレスが表記された複数の端末機器制御シンボルをマトリクス状に配列して表示部に表示させるものであって、端末データベースに記憶された端末機器の状態に応じて端末機器制御シンボルを異なる表示態様で表示部に表示させる表示制御部とを備えたものである。
【発明の効果】
【０００７】
本発明の火災受信機によれば、端末機器のアドレスを一覧表示するとともに状態情報をそれぞれの状態に対応した様態で表示することにより、一画面で多数の端末機器の状態を一目で把握することができるため、作業効率の向上を図ることができる。
【図面の簡単な説明】
【０００８】
【図１】本発明の火災受信機の好ましい実施の形態を示すシステム構成図である。
【図２】図１の火災受信機の一例を示す機能ブロック図である。
【図３】図１の記憶部に記憶された端末データベースのデータ構造の一例を示す模式図である。
【図４】図１の表示操作部に表示されるアドレスマップウィンドウの一例を示す模式図である。
【図５】図４のサブウィンドウの表示の別の一例を示す模式図である。
【図６】図４のサブウィンドウの表示の別の一例を示す模式図である。
【図７】図４のサブウィンドウの表示の別の一例を示す模式図である。
【発明を実施するための形態】
【０００９】
以下、図面を参照しながら本発明の火災受信機の実施形態について説明する。図１は本発明の火災受信機の好ましい実施形態を示すシステム構成図である。火災受信機ＦＡは、火災感知器等の複数の端末機器が信号線ＳＧを介して接続されたものであって、火災受信機ＦＡと各端末機器とは、たとえばハイレベル電圧（Ｖ１Ｈ）とローレベル電圧（Ｖ１Ｌ）との組み合わせのパルス信号により通信を行う。また各端末機器にはそれぞれ固有のアドレス番号ＡＤが割り当てられており、このアドレス番号ＡＤによって火災受信機は各端末機器を識別することができる。
【００１０】
火災受信機ＦＡに接続される端末機器としては、たとえば光電式アナログ感知器ＳＥ１１、熱アナログ感知器ＳＥ１２、アドレッサブル発信機ＳＥ１３等が挙げられる。光電式アナログ感知器ＳＥ１１は、煙感知器の一種であって、検出した煙のアナログ値を火災受信機ＦＡに送信する。熱アナログ感知器ＳＥ１２は、熱感知器の一種であって、検出した周囲温度のアナログ値を火災受信機ＦＡに送信する。アドレッサブル発信機ＳＥ１３は、いわゆる火災発信機であって、火災の発見者が手動操作する押しボタンを備え、押しボタンがオンされると火災信号を火災受信機ＦＡに送信する。
【００１１】
また、信号線ＳＧには端末機器である各種中継器を介して被制御装置が接続されている。図１においては、たとえば信号線ＳＧに地区ベル用中継器Ｂ１１が接続されており、地区ベル用中継器Ｂ１１には４つの地区ベルＢ１１１〜Ｂ１１４が接続されている。そして、各地区ベルＢ１１１〜Ｂ１１４は火災受信機ＦＡからの制御信号に従って火災を報知するための音を出力する。また、信号線ＳＧには入力用中継器Ｃ１１が接続されており、入力用中継器Ｃ１１には、他の設備の故障等の重大な問題が発生したときに動作する他設備が有する接点出力（スイッチ）Ｃ１１１が接続されている。また、信号線ＳＧには防排煙制御用中継器Ｄ１１が接続されており、防排煙制御用中継器Ｄ１１には防排煙機器としての防火戸Ｄ１１１、排煙機Ｄ１１２、シャッタＤ１１３、及びたれ壁Ｄ１１４が接続されている。これら信号線ＳＧに接続された端末機器は、信号線ＳＧを介して火災受信機ＦＡと通信するとともに、信号線ＳＧを介して電源が供給されている。
【００１２】
火災受信機ＦＡは、各端末機器との間で、以下のポイントポーリング、セレクティング、システムポーリングの３種の方法により端末機器の状態情報が収集され、あるいは端末機器等が制御される。
（１−１）ポイントポーリング
火災受信機ＦＡは、複数接続されている端末機器の状態を収集するために、何台かを１つのグループとして端末機器に状態情報要求命令を送信する。一方、それぞれの端末機器は、状態情報要求命令に対して、自己のアドレス番号ＡＤに応じてタイミングをはかり、状態情報を火災受信機ＦＡに通報する。火災受信機ＦＡは、このようなグループへの通信を繰り返し行い、全端末機器の状態情報を収集する。
【００１３】
（１−２）セレクティング
火災受信機ＦＡは、所望の端末機器に対応するアドレス番号ＡＤを指定して所定の制御命令を送信し、当該端末機器を制御する、あるいは、所望の端末機器に状態情報等の要求命令を送信し、個々の端末機器から状態情報を収集する。アドレス番号ＡＤを指定された端末機器は、制御命令に対して火災受信機ＦＡへ制御結果を通報し、あるいは要求された状態情報を通報する。
【００１４】
（１−３）システムポーリング
火災受信機ＦＡは、全ての端末機器に対して共通の制御命令を送信し、各端末機器を制御する。システムポーリングによる制御命令としては、たとえば火災復旧命令（火災信号を出力した感知器や中継器等を正常な監視状態に復旧させる命令）、地区音響停止命令（鳴動中の地区ベル用中継器Ｂ１１を停止させる命令）等がある。
【００１５】
（２）異常発生状態の情報の収集について
火災受信機ＦＡは、光電式アナログ感知器ＳＥ１１などの端末機器からポイントポーリングにより収集した状態情報に火災情報が含まれている場合には、記憶部３に格納されたデータベースに従い、火災情報を送信した端末機器に対応する防排煙制御用中継器Ｄ１１に対して、セレクティングにて制御信号を送信して中継器に接続されている被制御機器を作動させる。また、火災受信機ＦＡの記憶部３に格納された端末データベースＤＢに登録された端末機器に対してポイントポーリングで状態情報要求命令を送信したときに、その状態情報要求命令に対して応答しない端末機器が存在する場合、後述するように表示操作部２に無応答である旨の表示を行う。
【００１６】
図２は図１の火災受信機ＦＡの一例を示す機能ブロック図である。火災受信機ＦＡは、表示操作部２、記憶部３、表示制御部４を備えている。動作制御部１は火災受信機ＦＡの動作を制御するものであって、送受信部７を介して上述した各種ポーリングを各端末機器に対して行い、各端末機器の状態を収集するとともに、試験等の各種動作を行わせるものである。そして、動作制御部１は各種ポーリングにより収集した各端末機器の状態を記憶部３に記憶する。
【００１７】
表示操作部２はたとえばタッチパネルからなっており、各種情報を表示する表示部としての機能を有するとともに、作業者が画面に触れることにより所定のスイッチ（コマンドボタン）を選択できる操作部としての機能を有する。したがって、表示操作部２には所定の画面が表示されるとともに、作業者がパネルに触れることにより動作制御部１に所定の選択信号が出力されることになる。この表示操作部２の表示は表示制御部４により制御される。
【００１８】
記憶部３には端末機器に関する各種データを記憶した端末データベースＤＢが格納されている。図３は記憶部３に記憶された端末データベースＤＢのデータ構造の一例を示す図である。なお、端末データベースＤＢは外部のデータベース作成装置１５によりデータの登録・更新が可能になっている。図３の端末データベースＤＢには火災受信機ＦＡに接続された各端末機器のアドレス番号ＡＤと端末機器種別ＫＩとが関連づけて記憶されている。
【００１９】
さらに詳しくは端末データベースには「系統」、「アドレス番号ＡＤ」、「端末機器の種別ＫＩ」、「通番」、「被制御装置の種別」、「状態（ステータス）」が格納されている。「系統」は、複数の送受信部７のうちいずれの送受信部７に接続された端末機器であるかを示すものである。「アドレス番号ＡＤ」は、火災受信機ＦＡが送受信部７から信号線ＳＧを介して各端末機器へ通信する際に、いずれの端末機器であるかを識別できるように各端末機器に付与された番号である、「端末機器の種別ＫＩ」は、信号線ＳＧを介して火災受信機ＦＡと直接通信を行うことのできる各端末機器の種類を意味する。なお、図３においては、端末機器の種別ＫＩは実際の名称で記憶されている場合について例示しているが、各種別に対応した種別コードを割り当て種別コードで分類・管理するようにしてもよい。
【００２０】
「通番」は、１台の中継器に対して接続された複数の被制御装置のいずれを制御するかを特定するために、防排煙機器（が接続される各制御回線）に対応して付与された番号である。たとえば防排煙制御用中継器Ｄ１１に接続されている防火戸Ｄ１１１、排煙機Ｄ１１２、シャッタＤ１１３、およびたれ壁Ｄ１１４のそれぞれについて１〜４の通番が割り付けられている。「被制御装置の種別」は、複数の被制御装置の種別を特定する種別条件に相当し、たとえば防火戸、排煙機、シャッタ、たれ壁等の種別を意味している。「状態」は動作制御部１によって収集された端末機器の状態を示す情報であって、たとえば「正常」、「異常」、「警告」、「遮断」等を示すものである。なお、「状態」は動作制御部１によるポーリングが行われる毎に随時更新される。
【００２１】
図２の表示制御部４は表示操作部２にアドレスマップウィンドウ３０を表示させる機能を有している。図４は表示操作部２に表示されるアドレスマップウィンドウ３０の一例を示す模式図である。図４において、アドレスマップウィンドウ３０にはアドレス番号ＡＤが表記された複数の端末機器制御スイッチ３１がマトリクス状に配列されている。
各端末機器制御スイッチ３１は、端末データベースＤＢに記憶された各端末機器の状態（ステータス）に応じて異なる表示態様（色分け）で表示される。
【００２２】
たとえば火災である場合には赤色（Ａｌａｒｍ）、防排煙機器としての消火装置（不図示）が作動・制御している状態である場合にはピンク色（Ｐｒｅ−Ｄｉｓｃｈａｒｇｅ、Ｄｉｓｃｈａｒｇｅ）、他設備の故障等が入力状態の場合にはオレンジ色（Ｓｕｐｅｒｖｉｓｏｒｙ）、地区ベルや防排煙機器（消火装置以外）が作動・制御している場合には青色（Ａｃｔｉｖｅ）、異常である場合には黄色（Ｔｒｏｕｂｌｅ）、遮断しているもしくは制御不可の場合には緑色（Ｂｙｐａｓｓ）に端末機器制御スイッチ３１が着色される。このように、一覧表示されている端末機器制御スイッチ３１を着色してステータス表示することにより、作業者は一目で複数の端末機器の状態を把握することができるため、作業効率を向上させることができる。
なお、アドレスマップウィンドウ３０は、一つの系統の信号線に接続された端末機器の全て、又は半分を一画面で一覧表示できるように端末機器制御スイッチをマトリックス状に配列している。
【００２３】
また、アドレスマップウィンドウ３０には下部にはサブウィンドウ４０が配置されている。端末機器制御スイッチ３１が何も選択されていない初期状態においては、図４に示すようにサブウィンドウ４０に状態毎の様態（色）の意味を示すガイダンス情報が表示される。アドレスマップウィンドウ３０に配列された複数の端末機器制御スイッチ３１のうちいずれか１つの端末機器制御スイッチが選択されたとき、このサブウィンドウ４０に端末機器の詳細な状態が表示される。
【００２４】
具体的には、アドレス番号９９に割り当てられたアナログ感知器が火災受信機ＦＡに接続されており、作業者が「９９」が表記されている端末機器制御スイッチ３１を選択したとする。すると、表示制御部４は、端末データベースＤＢにおけるアドレス番号９９に関連づけされた種別ＫＩおよび状態を抽出してサブウィンドウ４０に表示する。アナログ感知器の状態が正常（平常）である場合、図５（Ａ）に示すように、サブウィンドウ４０にアナログ感知器は正常（平常）を示す旨の「Ｎｏｒｍａｌ」が表示される。一方、アナログ感知器が火災を検知している場合、図５（Ｂ）に示すようにサブウィンドウ４０には火災を示す旨の「Ａｌａｒｍ」情報が表示される。
【００２５】
また、アドレス番号５４に割り当てられた防排煙制御用中継器が火災受信機ＦＡに接続されており、作業者が「５４」が表記されている端末機器制御スイッチ３１を選択したとする。すると、図６（Ａ）および図６（Ｂ）に示すように、防排煙用制御用中継器に接続された４つの防排煙機器の状態が表示されることになる。たとえば各防排煙機器が正常（平常）状態である場合には図６（Ａ）に示すように何も表示されない。一方、各防排煙機器が作動している場合、図６（Ｂ）に示すように各防排煙機器の通番に状態を示す所定の表示がなされる。
【００２６】
なお、１つの端末機器に対して複数の状態が端末データベースＤＢに記憶されている場合がある。この場合、表示制御部４は、複数の状態のうち最も優先順位の高い状態に対応する様態で端末機器制御スイッチ３１を表示操作部２に表示させる。なお、この優先順位は、表示制御部４内においてたとえば赤色（Ａｌａｒｍ）、ピンク色（Ｐｒｅ−Ｄｉｓｃｈａｒｇｅ、Ｄｉｓｃｈａｒｇｅ）、オレンジ色（Ｓｕｐｅｒｖｉｓｏｒｙ）、青色（Ａｃｔｉｖｅ）、黄色（Ｔｒｏｕｂｌｅ）、緑色（Ｂｙｐａｓｓ）の順に予め設定されている。
【００２７】
具体的には、端末機器が中継器である場合、端末データベースＤＢには中継器に接続された複数の被制御装置の状態が記憶されることになる（図３参照）。このとき、表示制御部４は中継器に接続された被制御装置のうち最も優先度の高い色に着色して中継器を示す端末機器制御スイッチ３１を表示する。たとえば中継器の４つの被制御装置のうち、１つが作動を示し他の１つが異常を示している場合、中継器の端末機器制御スイッチ３１は青色に表示されることになる。
【００２８】
図４のアドレスマップウィンドウ３０の上部には、系統情報３２、系統切替スイッチ３３、アドレス切替スイッチ３４、３５が配置されている。系統情報３２は現在表示しているアドレスマップウィンドウ３０の系統が表示されている。系統切替スイッチ３３は、火災受信機ＦＡに接続されている複数の系統のうち、いずれの系統のアドレスマップウィンドウ３０を表示するかを切り替えるものである。ここで、系統切替スイッチ３３が選択されたとき、サブウィンドウ４０に図７に示すような複数の系統スイッチ５１が表示される。そして、作業者がいずれか１つの系統スイッチ５１を選択したとき、選択された系統についてのアドレスマップウィンドウ３０が生成され表示される。
【００２９】
図４のアドレス切替スイッチ３４、３５は、１画面に表示されるアドレス領域を指定するものであって、アドレス切替スイッチ３４が選択された場合、アドレス番号ＡＤが００１〜１２８の端末機器制御スイッチ３１が表示される。一方、アドレス切替スイッチ３５が選択された場合アドレス番号ＡＤが１２９〜２５５の端末機器制御スイッチ３１が表示される。なお、図４においては２つのアドレス切替スイッチ３４、３５が設けられている場合について例示しているが、スクロールバーを設ける等の他の手法により各系統に接続されたすべてのアドレス番号ＡＤを閲覧できるようにしてもよい。
【００３０】
次に、図１から図７を参照して火災受信機ＦＡの動作例について説明する。
通常時、火災受信機ＦＡの表示操作部２には、火災等の発生したイベントの詳細を時系列に所定数（例えば、５イベント）表示させる画面が表示されている。具体的には、イベントとして例えば火災が発生した場合には、火災状態を発した端末機器の系統とアドレス番号ＡＤと端末機器種別ＫＩおよび状態が表示操作部２に表示される。
作業者がアドレスマップウィンドウ３０を表示させる操作を表示操作部２で行ったとき、表示制御部４の制御により表示操作部２に端末機器制御スイッチ３１がマトリクス状に配列されたアドレスマップウィンドウ３０が表示される（図４参照）。このとき、表示制御部４において記憶部３に格納されている端末データベースＤＢに記憶された状態に応じて各端末機器制御スイッチ３１が着色した状態で表示される。
【００３１】
そして、作業者がマトリクス状に配列された複数の端末機器制御スイッチ３１のうちいずれか１つの端末制御スイッチ３１を選択すると、サブウィンドウ４０に選択したアドレス番号ＡＤが割り当てられた端末機器の詳細な状態が表示される（図５、図６参照）。
【００３２】
また、作業者が他の系統の端末機器の状態を確認したいとき、系統切替スイッチ３３が選択される。すると、サブウィンドウ４０に系統スイッチ５１が表示され（図７参照）、作業者は確認したい系統の番号が付された系統スイッチ５１を選択する。すると、表示制御部４により別の系統の表示がなされる。これにより、火災受信機ＦＡに接続されたすべての系統のすべての端末機器についての状態を把握することができる。
【００３３】
上記実施の形態によれば、端末機器のアドレス番号ＡＤを一覧表示するとともに状態情報を色で表示することにより、一画面で多数の端末機器の状態情報を一目で把握することができるため、作業効率の向上を図ることができる。すなわち、様々な端末機器の様々な状態情報が文字情報で多数表示されている場合、文字を頭で判断して状態を仕分けなければならない。一方、上述したようにアドレスマップウィンドウ３０を表示して端末機器の状態を色で表示すれば感覚的に素早く仕分けすることができる。そのため、たとえば配線が切断して、切断以降に接続されている端末機器の無応答が発生しているような場合に、容易に無応答の色のみで表示されている端末機器を抽出することができ、断線箇所を特定しやすくすることができる。
【００３４】
本発明の実施形態は上記実施形態に限定されない。たとえば、図１において、表示部と操作部とが一体的に設けられたタッチパネルを用いた場合について例示しているが、表示部と操作部とが別々に設けられていてもよい。たとえば表示部が液晶パネル等からなり、操作部がマウス、マウスパッド、キーボード等からなるものであって、作業者が表示部の表示を見ながら操作部を操作し、各種スイッチを選択するものであってもよい。
【００３５】
また、上記実施の形態において、状態毎の表示様態として着色する場合について例示しているが、状態毎に異なるスイッチ形状で表示してもよいし、点滅等表示方法を変えてもよい。
また、上記実施の形態において、端末機器の状態の表示を端末機器の詳細をサブウィンドウ４０に表示させるスイッチ機能を兼用する端末機器制御スイッチ３１に着色して表示したが、スイッチ機能を削除し、端末機器の状態の表示のみを行うようにしても良い。
【符号の説明】
【００３６】
１  動作制御部、２  表示操作部、３  記憶部、４  表示制御部、７  送受信部、１５  データベース作成装置、３０  アドレスマップウィンドウ、３１  端末機器制御スイッチ（端末機器制御シンボル）、３２  系統情報、３３  系統切替スイッチ、３４  アドレス切替スイッチ、３５  アドレス切替スイッチ、４０  サブウィンドウ、５１  系統スイッチ、ＡＤ  アドレス番号、Ｂ１１  地区ベル用中継器、Ｂ１１１−Ｂ１１４  地区ベル、Ｄ１１  防排煙制御用中継器、Ｄ１１１  防火戸、Ｄ１１２  排煙機、Ｄ１１３  シャッタ、Ｄ１１４  たれ壁、ＤＢ  端末データベース、ＦＡ  火災受信機、ＫＩ  端末機器の種別、ＳＥ１１  光電式アナログ感知器、ＳＥ１２  熱アナログ感知器、ＳＥ１３  アドレッサブル発信機、ＳＧ  信号線。
【図１】
2014016677.tif 000003
【図２】
2014016677.tif 000004
【図３】
2014016677.tif 000005
【図４】
2014016677.tif 000006
【図５】
2014016677.tif 000007
【図６】
2014016677.tif 000008
【図７】
2014016677.tif 000009